(57)【要約】【課題】搬送装置の搬送経路に沿って移動している物品の物品情報を、搬送経路に沿った任意の位置で、物品との対応関係が容易に認識できるような状態で、作業者に表示させることができる物品情報の表示装置が求められる。【解決手段】表示部は、搬送装置３により搬送経路８に沿って搬送される物品４ａ〜４ｅの移動速度に応じた速度で、表示面２における物品情報表示５ａ〜５ｅの位置が移動するように、搬送方向物品位置Ｌａ〜Ｌｅに基づいて物品情報表示を搬送方向物品位置Ｌａ〜Ｌｅに対応する表示面における搬送方向の位置Ｒａ〜Ｒｅに表示させる物品情報の表示装置。【選択図】図２
2014091609.tif 000002
【特許請求の範囲】
【請求項１】
搬送経路に沿って物品を搬送する搬送装置によって、搬送されている物品に関する物品情報を表示面に表示する物品情報の表示装置であって、
前記搬送経路における搬送方向に沿った前記物品の位置である搬送方向物品位置を検出する物品位置検出部と、
複数の前記物品の夫々に付与されて複数の前記物品を相互に識別するための個体識別情報を検出する物品識別情報検出部と、
前記物品識別情報検出部が検出した前記個体識別情報に基づいて、当該個体識別情報に対応する前記物品に関する前記物品情報を表す物品情報表示を生成する物品情報表示生成部と、
前記物品情報表示を前記表示面に表示させる表示部と、を備え、
前記表示面は、前記物品の搬送方向に沿って延びるように設定され、
前記表示部は、前記搬送装置により前記搬送経路に沿って搬送される前記物品の移動速度に応じた速度で、前記表示面における前記物品情報表示の位置が移動するように、前記物品位置検出部が検出した前記搬送方向物品位置に基づいて、前記物品情報表示を、前記搬送方向物品位置に対応する前記表示面における搬送方向の位置に表示させる物品情報の表示装置。
【請求項２】
前記表示面は、単一若しくは複数のディスプレイ、又は、投影装置により画像が投影される単一若しくは複数の投影面からなり、前記物品の搬送方向に沿って延びるように形成されかつ前記搬送経路に対する位置が固定されている請求項１に記載の物品情報の表示装置。
【請求項３】
前記表示面は、投影装置により画像が投影される、前記物品と一体的に移動する投影面からなる請求項１記載の物品情報の表示装置。
【請求項４】
前記物品識別情報検出部は、前記搬送装置により搬送される前記物品を撮像する撮像装置により、前記物品に付された識別表示を画像認識することにより当該物品の前記個体識別情報を検出する請求項１から３のいずれか一項に記載の物品情報の表示装置。
【請求項５】
前記物品位置検出部は、前記撮像装置により画像認識した前記識別表示の位置によって、前記搬送方向物品位置を検出する請求項４に記載の物品情報の表示装置。
【請求項６】
前記物品は、コンテナと当該コンテナに収容される収容物からなり、
前記物品情報は、前記収容物に関する情報である請求項１から５のいずれか１項に記載の物品情報の表示装置。
【発明の詳細な説明】
【技術分野】
【０００１】
本発明は、搬送経路に沿って物品を搬送する搬送装置によって、搬送されている物品に関する物品情報を表示面に表示する物品情報の表示装置に関する。
【背景技術】
【０００２】
上記のような物品情報の表示装置に関連して、例えば下記の特許文献１に記載された技術が既に知られている。特許文献１に記載されている技術では、搬送装置によって搬送される物品についての作業（例えば、ピッキング作業や組み立て作業）をする作業者が、作業対象の物品に関する物品情報を適切に把握できるように、搬送装置の搬送経路に沿った所定の位置に設定された表示用位置に液晶ディスプレイ等の表示面を配置し、表示用位置に対応する搬送経路における位置に物品が搬送される際に、当該物品に関する物品情報を表す物品情報表示を表示させるように構成されている。
【先行技術文献】
【特許文献】
【０００３】
【特許文献１】特開２００５−４６４２０号公報
【発明の概要】
【発明が解決しようとする課題】
【０００４】
しかしながら、搬送装置の使用目的によっては、搬送経路に沿って移動している物品に対して、搬送経路に沿った任意の位置で作業者が作業を行う場合があり、このような場合において作業者が表示用位置から離れた位置で作業をするときには、作業対象の物品に関する物品情報表示を視認し難い。また、従来の技術では、複数の物品が搬送経路に沿って並んだ状態で搬送される場合に、表示面に表示される物品情報表示が複数の物品のうちのいずれの物品に関する物品情報を示しているのかを特定し辛くなるおそれがある。さらに、表示用位置に対応した位置に位置している物品の物品情報だけでなく、当該物品の搬送方向で上手側や下手側に位置する他の物品の物品情報も一覧して同時に把握して作業効率を向上させたい場合、従来の技術では、表示面に表示する複数の物品に関する複数の物品情報表示と複数の物品のそれぞれとの対応関係が明確に把握できなくなるおそれがある。
【０００５】
そこで、搬送装置により搬送経路に沿って搬送されている物品と、表示面に表示される物品情報との対応関係が、搬送経路に沿った任意の位置で容易に認識できる物品情報の表示装置が求められる。
【課題を解決するための手段】
【０００６】
本発明に係る物品情報の表示装置の第１特徴構成は、搬送経路に沿って物品を搬送する搬送装置によって、搬送されている物品に関する物品情報を表示面に表示するものであって、その特徴構成は、前記搬送経路における搬送方向に沿った前記物品の位置である搬送方向物品位置を検出する物品位置検出部と、複数の前記物品の夫々に付与されて複数の前記物品を相互に識別するための個体識別情報を検出する物品識別情報検出部と、前記物品識別情報検出部が検出した前記個体識別情報に基づいて、当該個体識別情報に対応する前記物品に関する前記物品情報を表す物品情報表示を生成する物品情報表示生成部と、前記物品情報表示を前記表示面に表示させる表示部と、を備え、前記表示面は、前記物品の搬送方向に沿って延びるように設定され、前記表示部は、前記搬送装置により前記搬送経路に沿って搬送される前記物品の移動速度に応じた速度で、前記表示面における前記物品情報表示の位置が移動するように、前記物品位置検出部が検出した前記搬送方向物品位置に基づいて、前記物品情報表示を、前記搬送方向物品位置に対応する前記表示面における搬送方向の位置に表示させる点にある。
【０００７】
この特徴構成によれば、搬送方向物品位置に対応する表示面における搬送方向の位置に、物品情報表示が表示されるので、作業者に、搬送経路に沿った任意の位置で、物品との対応関係が直感的に認識できるような状態で、物品情報を表示させることができる。この際、搬送経路に沿って搬送される物品の移動速度に応じた速度で、表示面における物品情報表示の位置が移動するように表示されるので、物品が搬送経路に沿って連続的に移動している場合でも、作業者に、物品と物品情報表示との対応関係を容易に認識させることができる。特に、複数の物品が搬送経路に沿って互いに近接して搬送されているような場合において、複数の物品と当該複数の物品についての物品情報表示とを、それぞれ対応する搬送方向の位置、及び対応する速度で移動させることができる。このため、複数の物品が互いに近接して搬送されている場合でも、作業者に物品と物品情報表示との対応関係を誤認させることを抑制して、正しく認識させることができる。
また、表示面は、搬送方向に沿って延びるように設定されているので、搬送方向に沿って移動している物品に追従させて物品情報表示を表示させることが容易になる。また、作業者に、搬送経路に沿って移動している物品の物品情報を、搬送経路に沿って一覧して把握させることが容易になる。特に、複数の物品が互いに近接して搬送されている場合において、作業者に、複数の物品情報を、各物品との対応関係を明確にした状態で搬送経路に沿って一覧して把握させることが容易になる。
【０００８】
本発明に係る物品情報の表示装置の第２特徴構成は、前記表示面は、単一若しくは複数のディスプレイ、又は、投影装置により画像が投影される単一若しくは複数の投影面からなり、前記物品の搬送方向に沿って延びるように形成されかつ前記搬送経路に対する位置が固定されている点にある。
【０００９】
この構成によれば、物品の搬送方向に沿って延びるように形成された、単一若しくは複数のディスプレイ、又は、投影装置により画像が投影される単一若しくは複数の投影面により、表示面を構成することができる。したがって、搬送経路に対する位置が固定されて搬送方向に沿って延びる形態の表示面に、搬送方向に沿って移動している物品に追従させて物品情報表示を表示させることができ、表示面の好適な実施形態を得ることができる。
【００１０】
本発明に係る物品情報の表示装置の第３特徴構成は、前記表示面は、投影装置により画像が投影される、前記物品と一体的に移動する投影面からなる点にある。
【００１１】
この構成によれば、投影装置により画像が投影される、物品と一体的に移動する投影面により、搬送方向に沿って延びる表示面を適切に設定することができる。また、この構成によれば、表示面を物品と一体的に設定することができるので、物品及び搬送装置とは別に、表示面を設定するための空間を用意せずに済ますことも可能であり、装置が大型化することを抑制できる。また、投影装置により投影させるので、各物品に投影面を設定することができ、表示面が物品と一体的に移動するように構成した場合でも、物品側の構成を簡易なもの、低コストなものとすることができる。
【００１２】
本発明に係る物品情報の表示装置の第４特徴構成は、前記物品識別情報検出部は、前記搬送装置により搬送される前記物品を撮像する撮像装置により、前記物品に付された識別表示を画像認識することにより当該物品の前記個体識別情報を検出する点にある。
【００１３】
この構成によれば、物品識別情報検出部は、物品に付された識別表示を撮像装置により画像認識することにより、個体識別情報を適切に検出することができる。したがって、個体識別情報を送信する送信部を物品に備える必要がない等、物品の構成の複雑化を防止できる。
【００１４】
本発明に係る物品情報の表示装置の第５特徴構成は、前記物品位置検出部は、前記撮像装置により画像認識した前記識別表示の位置によって、前記搬送方向物品位置を検出する点にある。
【００１５】
この構成によれば、識別表示を画像認識して個体識別情報を検出する際に、画像認識した識別表示の位置により、搬送方向物品位置を効率的に検出することができる。この場合、識別表示の位置としては、撮像装置にて撮像した画像における位置を採用することが好ましい。この構成によれば、個体識別情報と、当該個体識別情報に係る物品の搬送方向物品位置とを容易に対応させることができる。
【００１６】
本発明に係る物品情報の表示装置の第６特徴構成は、前記物品は、コンテナと当該コンテナに収容される収容物からなり、前記物品情報は、前記収容物に関する情報である点にある。
【００１７】
この構成によれば、物品が、コンテナとその収容物からなるような場合において、収容物に関する情報を、物品情報として効率的に表示させることができる。
【図面の簡単な説明】
【００１８】
【図１】本発明の実施形態に係る物品情報の表示装置の概略的構成を示すブロック図
【図２】本発明の実施形態に係る物品情報の表示装置の構成を説明するための図
【図３】搬送方向に直交する方向に、複数の物品が並べられている場合の表示装置の構成を説明するための図
【図４】表示面が複数の表示面からなる場合の構成を説明するための図
【図５】表示面が物品と一体的に移動するように構成されている場合の表示装置の構成を説明するための図
【発明を実施するための形態】
【００１９】
本発明に係る物品情報の表示装置の実施形態について説明する。
図１に示すように、物品情報の表示装置１（以下、単に表示装置１とも称す）は、搬送装置３によって搬送されている物品４に関する物品情報を表示面２に表示させる表示装置である。
物品情報の表示装置１は、物品位置検出部３０、物品識別情報検出部３１、物品情報表示生成部３２、及び表示部３３などの機能部を備えている。
【００２０】
図２に示すように、物品位置検出部３０は、搬送経路８における搬送方向Ｘに沿った物品４の位置である搬送方向物品位置Ｌを検出する。物品識別情報検出部３１は、複数の物品４の夫々に付与されて複数の物品４を相互に識別するための個体識別情報を検出する。物品情報表示生成部３２は、物品識別情報検出部３１が検出した個体識別情報に基づいて、当該個体識別情報に対応する物品４に関する物品情報を表す物品情報表示５を生成する。表示部３３は、物品情報表示５を表示面２に表示させる。
このような構成において、表示面２は、物品４の搬送方向Ｘに沿って延びるように設定される。そして、表示部３３は、搬送装置３により搬送経路８に沿って搬送される物品４の移動速度に応じた速度で、表示面２における物品情報表示５の位置が移動するように、物品位置検出部３０が検出した搬送方向物品位置Ｌに基づいて、物品情報表示５を、搬送方向物品位置Ｌに対応する表示面２における搬送方向の位置Ｒ（以下、搬送方向表示位置Ｒと称す）に表示させるように構成されている。
【００２１】
１．搬送装置３
搬送装置３は、搬送経路８に沿って物品４を搬送する装置である。本実施形態では、図２に示すように、搬送装置３は、複数の物品４ａ、４ｂ、・・・を、搬送経路８における搬送方向Ｘに並べて同時に搬送可能とされている。なお、搬送装置３は、図３に示すように、複数の物品４ａ１、４ａ２、・・・、４ｂ１、４ｂ２、・・・を搬送方向Ｘに加えて、搬送方向Ｘに直交する搬送直交方向Ｙにも並べて同時に搬送可能とされてもよい。
図２に示す例では、搬送方向Ｘは、直線状の方向とされているが、曲線状の方向とされても良く、直線および曲線の組み合わせからなる方向とされてもよい。
図２に示す例では、搬送装置３は、ベルトコンベアとされている。なお、ローラ式のコンベアやガイドレール式のコンベヤやクレーン式のコンベアなどの様々な種類の搬送装置を用いることができる。
【００２２】
２．物品情報の表示装置１
表示装置１は、搬送装置３によって搬送されている物品４に関する物品情報を表示面２に表示させる装置である。
表示装置１は、ＣＰＵ等の演算処理装置を中核部材として備えるとともに、当該演算処理装置からデータを読み出し及び書き込みが可能に構成されたＲＡＭ（ランダム・アクセス・メモリ）や、演算処理装置からデータを読み出し可能に構成されたＲＯＭ（リード・オンリ・メモリ）等の記憶装置等を有して構成されている。そして、表示装置１のＲＯＭ等に記憶されたソフトウェア（プログラム）又は別途設けられた演算回路等のハードウェア、或いはそれらの両方により、表示装置１の各機能部３０〜３３などが構成されている。
【００２３】
３．物品識別情報検出部３１
物品識別情報検出部３１は、複数の物品４の夫々に付与されて複数の物品４を相互に識別するための個体識別情報を検出する機能部である。
本実施形態では、識別子検出装置６が、搬送経路８に沿って搬送されている物品４に付された識別子７を、光学的、磁気的、又は電波的に検出する検出手段を用いて検出し、検出した識別子７の情報を出力するように構成されている。物品識別情報検出部３１は、識別子検出装置６から取得した識別子７の情報に基づいて、搬送されている物品４の個体識別情報を認識するように構成されている。識別子７は、光学的、磁気的、又は電波的に情報を読み取り可能なものとされている。
【００２４】
本実施形態では、識別子検出装置６は、図２に示すように、搬送装置３により搬送されている物品４を撮像する撮像装置６とされている。物品４に付される識別子として、本実施形態では、光学的に情報を読み取り可能な識別表示７とされている。撮像装置６によって撮像された画像情報は、物品識別情報検出部３１などに出力される。なお、図２に示す例では、１つの撮像装置６が備えられているが、搬送方向Ｘの表示区間が長い場合などでは、複数の撮像装置６が搬送方向Ｘに並べられてもよい。
識別表示７には、バーコードなどの一次元コードや、ＱＲコード（登録商標）などの２次元コードや、文字、数字、記号の列などの様々な種類があり、単一の種類から構成されてもよいし、複数の種類から構成されてもよい。
【００２５】
物品識別情報検出部３１は、撮像装置６により撮像された、物品４に付された識別表示７を画像認識することにより当該物品４の個体識別情報を検出するように構成されている。具体的には、物品識別情報検出部３１は、撮像装置６により撮像された画像から、画像認識処理により識別表示７を抽出し、識別表示７が表す情報を読み取るための規格、仕様などに従った処理により、識別表示７が表す情報を読み取って個体識別情報を取得する。
【００２６】
４．物品位置検出部３０
物品位置検出部３０は、搬送経路８における搬送方向Ｘに沿った物品４の位置である搬送方向物品位置Ｌを検出する機能部である。
本実施形態では、物品位置検出部３０は、識別子検出装置６により検出された識別子の位置によって、当該識別子７が付された物品４の搬送方向物品位置Ｌを検出するように構成されている。
本実施形態では、物品位置検出部３０は、撮像装置６による撮像画像を画像認識して検出された識別表示７の位置によって、搬送方向物品位置Ｌを検出するように構成されている。具体的には、物品位置検出部３０は、撮像装置６により撮像される搬送方向Ｘの位置範囲と、撮像画像内における識別表示７の位置に基づいて、搬送方向物品位置Ｌを算出する。また、図２に示す例では、識別表示７又は物品４の搬送方向Ｘの幅の中心が、物品４の代表位置とされ、搬送方向物品位置Ｌに設定されている。
本実施形態では、物品位置検出部３０は、図２に示すように、各物品４ａ、４ｂ、・・・の基準位置Ｌ０からの搬送方向Ｘに沿った距離Ｌａ、Ｌｂ、・・・を、搬送方向物品位置Ｌａ、Ｌｂ、・・・として検出するように構成されている。
【００２７】
図２に示す例とは異なり、識別子検出装置６が配置された搬送方向Ｘの位置を、物品４が通過するときに、識別子７を検出する識別子検出装置６が用いられるように構成されてもよい。この場合は、物品位置検出部３０は、識別子検出装置６が配置された搬送方向Ｘの位置と、識別子７を検出した時点からの経過時間と、搬送装置３の搬送速度に基づいて、搬送方向物品位置Ｌを算出するように構成されてもよい。具体的には、物品位置検出部３０は、識別子検出装置６が配置された搬送方向Ｘの位置に、前記経過時間と搬送速度を乗算した移動距離を加算して、搬送方向物品位置Ｌを算出するように構成されてもよい。
【００２８】
５．物品情報表示生成部３２
物品情報表示生成部３２は、物品識別情報検出部３１が検出した個体識別情報に基づいて、当該個体識別情報に対応する物品４に関する物品情報を表す物品情報表示５を生成する機能部である。
本実施形態では、複数の物品４のそれぞれについて、付与された個体識別情報と、物品情報と、を関連付けて管理、記憶している物品情報管理部３４が備えられている（図１参照）。本実施形態では、物品情報管理部３４は、表示装置１とは異なる装置又はシステムに備えられているが、表示装置１に備えられてもよい。
そして、物品情報表示生成部３２は、物品情報管理部３４から、物品識別情報検出部３１が検出した個体識別情報に対応する物品４の物品情報を取得するように構成されている。
【００２９】
＜物品情報＞
物品情報には、物品４に関する様々な情報を設定することができる。例えば、物品情報に、物品４の個体情報や、物品４の状態情報や、物品４に対する作業指示の情報などの単数又は複数の種類を設定することができる。
物品４の個体情報には、物品４の種類、名称、分類、ランク、仕様、構成、搬送先などが含まれる。物品４の状態の情報には、物品４の異常の有無、異常の内容、物品４に対する注意の有無、注意の内容、物品４に対する作業の状態、物品４の組み立ての状態、物品４に収容する収容物などの過不足の状態などが含まれる。物品４に対する作業指示の情報には、物品４に対する部品の取り付け又は取り外し指示、物品４に収容する収容物の種類、数量又は取り出す収容物の種類、数量の指示、物品４に対する操作内容、確認内容などが含まれる。
【００３０】
＜コンテナ４１、収容物４２の例＞
本実施形態では、物品４は、図２に示すように、コンテナ（容器）４１と当該コンテナ４１に収容される収容物４２からなり、物品情報は、収容物４２に関する情報とされている。このような物品４は、例えば、作業者が、収容物４２の種類、数量などを指示する作業指示に従って、部品などの収容物４２を収集してコンテナ４１に収容する工程（ピッキング工程と称す）などによって、用意される。物品情報は、例えば、作業ミスによる収容物４２の過不足の有無、過不足の生じた収容物４２の種類、数量の情報（収容物４２の過不足の状態）や、過不足の生じた収容物４２の収容又は取り出しの指示などの情報に設定される。このような物品情報は、ピッキング工程において、カメラなどを用いた、監視システムにより生成される。また、各コンテナ４１には、個体識別情報が付与されている。本実施形態では、後述するように、各コンテナ４１には、各コンテナ４１を相互に識別するための個体識別情報に対応する識別表示７が付されている。
物品情報管理部３４は、各コンテナ４１に対して付与した個体識別情報と、当該各コンテナ４１について取得した物品情報と、を関連付けて管理、記憶するように構成されている。
【００３１】
＜物品情報表示５＞
物品情報表示５には、物品情報を表す様々な種類の表示を設定することができる。例えば、物品情報表示５に、物品情報を表す文字、数字及び記号や、マークや、色などの単数又は複数の種類を設定することができる。物品情報が物品４の個体情報である場合は、個体情報を表す文字、数字及び記号や、マークや、色などが設定される。例えば、物品４の名称を表す文字や数字であったり、物品４のランクを表すマークや色であったりする。物品情報が物品４の状態の情報である場合は、状態の情報を表す文字、数字及び記号や、マークや、色などが設定される。例えば、異常の内容を表す文字や数字や記号であったり、異常の有無を表すマークや色であったりする。物品情報が物品４に対する作業指示の情報である場合は、作業指示の情報を表す文字、数字及び記号や、マークや、色などが設定される。例えば、部品の取り付け又は取り外し指示を表す文字や数字や記号であったり、物品４に収容する収容物の種類、数量を表すマークや色であったりする。
図２に示すコンテナ４１及び収容物４２の例では、過不足の生じた収容物４２の種類、数量の情報を表す文字、数字及び記号や、マークや、色などが設定される。
【００３２】
また、異常がない、過不足がない場合など表示させるべき物品情報がない場合は、その物品４について物品情報表示５が生成されず、表示面２に表示されないように構成されてもよい。もっとも、この場合に、表示させるべき物品情報がないことがわかるような物品情報表示５（例えば、枠だけの表示）が生成されて、表示面２に表示されるように構成さてもよい。
【００３３】
６．表示面２
表示面２は、搬送装置３によって搬送されている物品４の物品情報が表示される面である。表示面２は、物品４の搬送方向Ｘ（搬送経路８）に沿って延びるように設定されている。
表示面２は、図２の例に示すように、搬送方向Ｘに連続する、１つの表示面からなることが望ましいが、図４の例に示すように、複数の表示面２ａ、２ｂ、・・・を、搬送方向Ｘに並べて、表示面２が全体として搬送方向Ｘに延びるように設定されてもよい。
【００３４】
表示面２の搬送方向Ｘの幅は、少なくとも、物品４の搬送方向Ｘの幅より長く（好ましくは物品４の幅の２倍より長く）なるように設定される。なお、表示面２が複数の表示面２ａ、２ｂ、・・・からなる場合は、各表示面２ａ、２ｂ、・・・の搬送方向Ｘの幅は、少なくとも、物品４の搬送方向Ｘの幅より長く（好ましくは物品４の幅の２倍より長く）なるように設定される。また、表示面２の搬送方向Ｘの幅は、少なくとも、物品情報表示５の搬送方向Ｘの幅より長く（好ましくは物品情報表示５の幅の２倍より長く）なるように設定される。このように設定することで、物品４の移動速度に応じた速度で、物品情報表示５を移動させた場合に、１つの表示面２において物品情報表示５の全体が表示されている期間を確保することができるため、作業者が物品情報表示５から物品情報を読み取り易くなる。
【００３５】
また、表示面２が、複数の表示面２ａ、２ｂ、・・・からなる場合は、表示された物品情報表示５からの物品情報の読み取り易さを向上させるため、図４の例に示すように、隣り合う表示面の間の搬送方向Ｘの隙間をできるだけ短くすることが望ましい。この表示面間の隙間は、少なくとも、物品４の搬送方向Ｘの幅より短く（好ましくは物品４の幅の半分より短く）なるように設定される。また、表示面間の隙間は、少なくとも、物品情報表示５の搬送方向Ｘの幅より短く（好ましくは物品情報表示５の幅の半分より短く）なるように設定される。このように設定することで、物品４の移動速度に応じた速度で、物品情報表示５を移動させた場合に、表示面間の隙間により物品情報表示５が全く表示されていない期間が生じることを抑制できるため、作業者が物品情報表示５から物品情報を読み取り易くなる。
【００３６】
図２に示す例のように、表示面２は、物品情報表示５を表示させたい搬送経路８の表示区間において、物品情報表示５を物品４の搬送方向物品位置Ｌに対応する搬送方向表示位置Ｒに表示できるように、配置される。すなわち、表示面２は、搬送経路８の表示区間に沿って延びるように配置される。図２に示す例では、表示面２は、搬送経路８に対して、搬送直交方向Ｙに所定間隔だけ離間した位置に、表示面２が鉛直方向に対して平行な角度になるように配置されている。なお、表示面２は、搬送経路８に沿って延びるように配置されれば、作業者が視認しやすいように、搬送経路８に対する位置、及び表示面２の角度は任意に設定することができる。例えば、表示面２は、搬送経路８に対して上方の位置に、表示面２が鉛直方向に対して斜めの角度になるように配置されてもよい。
また、図２に示す例では、表示面２は、搬送方向Ｘに沿って一列に延びるように設定されているが、表示面２は、搬送方向Ｘに沿って二列に延びるように設定されてもよい。すなわち、図２に示すような表示面２が、別の位置に更に１つ以上設定されてもよい。
【００３７】
本実施形態では、図２の例に示すように、表示面２は、投影装置４０により画像が投影される１つの投影面２からなり、物品４の搬送方向Ｘ（搬送経路８）に沿って延びるように、搬送経路８に対する位置が固定されて配置されている。投影面２は、幕、壁、衝立など、投影装置４０により画像が投影可能な面を有していればどのような面であってもよい。なお、表示面２は、図４に示すように、複数の投影面２ａ、２ｂ、・・・からなり、複数の投影面２ａ、２ｂ、・・・が、搬送方向Ｘに並べられて、表示面２が全体として搬送方向Ｘに延びるように配置されてもよい。
【００３８】
投影装置４０は、画像を投影面２などに投影することにより表示する表示装置である。投影装置４０には、液晶やＣＲＴを使い、画像を拡大して投影する種類などがある。図２に示す例では、１つの投影装置４０から構成されているが、搬送方向Ｘの表示区間が長い場合などでは、複数の投影装置４０が、搬送方向Ｘに並べられてもよい。
【００３９】
或いは、表示面２は、単一若しくは複数のディスプレイからなるように構成されてもよい。図４に示す例では、複数のディスプレイ２ａ、２ｂ、・・・が、搬送方向Ｘに並べられて、表示面２が全体として搬送方向Ｘに延びるように配置されている。ディスプレイ２には、液晶ディスプレイ、プラズマディスプレイ、有機ＥＬディスプレイなどがある。
【００４０】
７．表示部３３
表示部３３は、物品情報表示５を表示面２に表示させる機能部である。
表示部３３は、搬送装置３により搬送経路８に沿って搬送される物品４の移動速度に応じた速度で、表示面２における物品情報表示５の位置が移動するように、物品位置検出部３０が検出した搬送方向物品位置Ｌに基づいて、物品情報表示５を、搬送方向物品位置Ｌに対応する表示面２における搬送方向Ｘの位置である搬送方向表示位置Ｒに表示させるように構成されている。
すなわち、表示部３３は、物品４の搬送方向Ｘに沿った移動に応じて（同期して）、連続的に物品情報表示５が移動するように、物品４の搬送方向物品位置Ｌに対応する搬送方向Ｘの位置に物品情報表示５を表示させる。
表示部３３で生成された画像信号は、単数又は複数のディスプレイや投影装置４０などに出力されて、物品情報表示５が表示面２に表示される。
【００４１】
図２に示す例では、物品情報表示５の搬送方向Ｘの幅の中心が、物品情報表示５の代表位置とされ、搬送方向表示位置Ｒとされている。
表示部３３は、各物品情報表示５ａ、５ｂ、・・・の基準位置Ｒ０からの搬送方向Ｘに沿った距離Ｒａ、Ｒｂ、・・・を、搬送方向表示位置Ｒａ、Ｒｂ、・・・として、各搬送方向物品位置Ｌａ、Ｌｂ、・・・に基づいて設定するように構成されている。図２に示す例では、搬送方向物品位置Ｌの基準位置Ｌ０と搬送方向表示位置Ｒの基準位置Ｒ０との搬送方向Ｘの位置が同じになるように設定されている。そして、各搬送方向表示位置Ｒａ、Ｒｂ、・・・に、各搬送方向物品位置Ｌａ、Ｌｂ、・・・の値が設定されるように構成されている。
【００４２】
このように、表示部３３は、各物品情報表示５ａ、５ｂ、・・・が、各搬送方向物品位置Ｌａ、Ｌｂ、・・・から搬送直交方向Ｙ及び鉛直方向に延びる鉛直面に交わるように、各物品情報表示５ａ、５ｂ、・・・の搬送方向表示位置Ｒａ、Ｒｂ、・・・を設定する。
【００４３】
物品情報表示５の表示更新周期は、作業者が、物品情報表示５の移動が滑らかであると感じるように、できるだけ短く設定されることが望ましい。よって、演算処理装置の処理速度の許容範囲内で、表示更新周期が短く設定されることが望ましい。画像処理速度の制約などから、物品４の搬送方向物品位置Ｌの検出周期が長い場合は、検出周期の間の搬送方向物品位置Ｌを、物品４の搬送速度に基づき推定して、推定した搬送方向物品位置Ｌを、物品情報表示５の搬送方向表示位置Ｒに反映させるように構成されるとよい。なお、物品４の搬送速度は、過去に検出した搬送方向物品位置Ｌと、検出周期とに基づいて算出することができる。
【００４４】
なお、物品情報表示５の表示更新周期は、少なくとも、各物品情報表示５ａ、５ｂ、・・・が、各搬送方向物品位置Ｌａ、Ｌｂ、・・・（識別表示７又は物品４の搬送方向Ｘの幅の中心位置）から搬送直交方向Ｙ及び鉛直方向に延びる鉛直面に交わる状態を維持できるような間隔に設定される。これにより、作業者が、物品４と物品情報表示５との対応関係を誤認することを抑制できる。
【００４５】
表示面２が、図４の例に示すように、複数の表示面２ａ、２ｂ、・・・から構成される場合について説明する。各物品情報表示５ａ、５ｂ、・・・を、その全体が表示された状態で、１つの表示面内で搬送方向Ｘに移動させることができるように、各物品情報表示５ａ、５ｂ、・・・の搬送方向の幅が、１つの表示面の搬送方向Ｘの幅より短く（好ましくは、１つの表示面の搬送方向Ｘの幅の半分より短く）なるように設定される。
【００４６】
〔その他の実施形態〕
最後に、本発明のその他の実施形態について説明する。なお、以下に説明する各実施形態の構成は、それぞれ単独で適用されるものに限られず、矛盾が生じない限り、他の実施形態の構成と組み合わせて適用することも可能である。
【００４７】
（１）上記の実施形態において、表示面２は、単一若しくは複数のディスプレイ２、又は投影装置４０により画像が投影される単一若しくは複数の投影面２からなり、物品４の搬送方向Ｘに沿って延びるように、搬送経路８に対する位置が固定されて配置されている場合を例として説明した。しかし、本発明の実施形態はこれに限定されない。すなわち、表示面２は、物品４の搬送方向Ｘ（搬送経路８）に沿って延びるように設定されていればどのような表示面であってもよい。例えば、図５に示すように、表示面２は、投影装置４０により画像が投影される、物品４と一体的に移動する投影面２からなるように構成されてもよい。図５に示す例では、各物品４ａ、４ｂ、・・・の側面に、投影面２ａ、２ｂ、・・・が設定されている。そして、表示部３３は、各物品４ａ、４ｂ、・・・と一体的に移動する投影面２ａ、２ｂ、・・・に、各物品４ａ、４ｂ、・・・に対応する物品情報表示５ａ、５ｂ、・・・を表示させる。具体的には、表示部３３は、搬送方向物品位置Ｌに基づいて、物品情報表示５を、搬送方向物品位置Ｌに対応する搬送方向表示位置Ｒに表示させる。なお、投影面２は、物品４のいずれの面に設定されてもよく、或いは、投影面２は、物品４に取り付けられた板状の部材の面であってもよい。
【符号の説明】
【００４８】
１    表示装置
２    表示面（ディスプレイ、投影面）
３    搬送装置
４    物品
５    物品情報表示
６    識別子検出装置（撮像装置）
７    識別表示
８    搬送経路
３０  物品位置検出部
３１  物品識別情報検出部
３２  物品情報表示生成部
３３  表示部
４０  投影装置
４１  コンテナ
４２  収容物
Ｌ    搬送方向物品位置
Ｘ    搬送方向
【図１】
2014091609.tif 000003
【図２】
2014091609.tif 000004
【図３】
2014091609.tif 000005
【図４】
2014091609.tif 000006
【図５】
2014091609.tif 000007